(57)【要約】【課題】出射光の主出射方向を光軸の方向とは異なる方向とし、光学ユニットに組み込んで光学系を構成する場合に、配置・支持スペースや意匠デザイン上の制約を極力回避することが可能なＬＥＤ光源用レンズ及びレンズアレイを提供することにある。【解決手段】ＬＥＤ光源用レンズ１を、対向する位置に光入射面と光出射面を有する柱状とし、長手方向の所定の位置から光出射面側を径が一定の円柱形状からなる円柱部７とすると共に光入射面側を該光入射面に向かって径が徐々に細くなる円柱を長手方向に沿う中心軸に沿って該中心軸を含まない平面で切断除去した部分円柱形状からなる部分円柱部８とした。また、上記構成の複数のＬＥＤ光源用レンズを連成部を介して適宜の間隔で且つ適宜の方向に向けて且つ適宜の回転位置で一体化することによりレンズアレイを形成した。【選択図】図４
2013131386.tif 000002
【特許請求の範囲】
【請求項１】
対向する位置に光入射面と光出射面を有する柱状のＬＥＤ光源用レンズであって、
前記ＬＥＤ光源用レンズは、長手方向の所定の位置から前記光出射面側を径が一定の円柱形状からなる円柱部とし、前記光入射面側を該光入射面に向かって径が徐々に細くなる円柱を長手方向に沿う中心軸に沿って該中心軸を含まない平面で切断除去した部分円柱形状からなる部分円柱部であることを特徴とするＬＥＤ光源用レンズ。
【請求項２】
前記ＬＥＤ光源用レンズは、前記光出射面が平坦面からなり、前記光入射面が該光入射面近傍に中心位置を有する凹球面状を呈し、ＬＥＤ光源が前記中心位置あるいはその近傍にその発光部を位置させて配置されることを特徴とする請求項１に記載のＬＥＤ光源用レンズ。
【請求項３】
前記光出射面は、前記平坦面の一部に球面あるいは非球面形状の凹部を有することを特徴とする請求項２に記載のＬＥＤ光源用レンズ。
【請求項４】
複数の前記ＬＥＤ光源用レンズが連成部を介して適宜の間隔で且つ適宜の方向に向けて且つ適宜の回転位置で一体に形成され、前記連成部の一方の側に前記円柱部が位置し他方の側に前記部分円柱部が位置していることを特徴とする、請求項１〜請求項３のいずれかに記載のＬＥＤ光源用レンズを用いたレンズアレイ。
【発明の詳細な説明】
【技術分野】
【０００１】
本発明は、ＬＥＤ光源用レンズ及びレンズアレイに関するものであり、詳しくは、ＬＥＤ光源からの出射光の光路制御を行うことにより所望の配光特性を得ることを可能にするＬＥＤ光源用レンズ及びレンズアレイに関する。
【背景技術】
【０００２】
従来、この種のＬＥＤ光源用レンズ９０は、例えば図１３〜図１５示すように、ＬＥＤ光源８０の光出射面８１に対向する位置に、凸状の光入射面（第１光入射面）８２と立壁状の光入射面（第２光入射面）８３が形成され、前記第１光入射面８２の上方の該第１光入射面８２に対向する位置に、中央部が略平面８４で周辺部が下方の第１光入射面８２近傍を焦点とする略回転楕円面８５の一部で構成される凸状の光出射面（第１光出射面）８６が形成され、その周辺に略平面状の光出射面（第２光出射面）８７が形成されている（図１３参照）。
【０００３】
そこで、ＬＥＤ光源８０の光出射面８１から上方に位置する第１光入射面８２に向けて出射された光は、第１光入射面８２からＬＥＤ光源用レンズ９０内に入射し、ＬＥＤ光源用レンズ９０内を導光されて第１光出射面８６から外部に向けて出射される（図１４参照）。
【０００４】
また、ＬＥＤ光源８０の光出射面８１から斜め側方に位置する第２光入射面８３に向けて出射された光は、第２光入射面８３からＬＥＤ光源用レンズ９０内に入射し、ＬＥＤ光源用レンズ９０内を導光されて途中で外側面８８で反射（全反射）されて第２光出射面８７から外部に向けて出射される（図１５参照）。
【０００５】
これにより、ＬＥＤ光源用レンズ９０の第１光出射面８６及び第２光出射面８７から出射される光は、ＬＥＤ光源８０の光出射面８１の中央部から出射された青みがかった白色光及びＬＥＤ光源８０の光出射面８１の周辺部から出射された黄色がかった白色光が良好に混合されて色調むらの少ない演色性に優れた白色光を形成するものとなる（参考文献１参照）。
【先行技術文献】
【特許文献】
【０００６】
【特許文献１】特開２００７−１４２１７８号公報
【発明の概要】
【発明が解決しようとする課題】
【０００７】
ところで、上記構成のＬＥＤ光源用レンズ９０は、ＬＥＤ光源８０とＬＥＤ光源用レンズ９０の同一光軸Ｘを回転軸とする回転対称の形状を有している。したがって、ＬＥＤ光源用レンズ９０から出射される出射光も光軸Ｘに対して光軸Ｘ上を光度のピークとする放射状に均一な配光特性を有するものとなる。
【０００８】
そのため、ＬＥＤ光源用レンズ９０の出射光の出射方向は、ＬＥＤ光源８０及びＬＥＤ光源用レンズ９０の同一光軸Ｘの向く方向で決まる。そこで、各種機器の光学ユニットに組み込んで光学系を構成する場合、配置スペースや意匠デザイン上の制約により、ＬＥＤ光源用レンズをその光軸を照射方向に向けた状態で配置することが困難になる可能性がある。
【０００９】
また、ＬＥＤ光源用レンズをその光軸を照射方向に向けた状態で配置した場合でも、支持固定スペースや意匠デザイン上の制約により、支持固定手段が複雑な構造になる可能性があり、製造コストの上昇を招く恐れがある。
【００１０】
そこで、本発明は上記問題に鑑みて創案なされたもので、その目的とするところは、出射光の主出射方向を光軸の方向とは異なる方向とし、光学ユニットに組み込んで光学系を構成する場合に、配置・支持スペースや意匠デザイン上の制約を極力回避することが可能なＬＥＤ光源用レンズ及びレンズアレイを提供することにある。
【課題を解決するための手段】
【００１１】
上記課題を解決するために、本発明の請求項１に記載された発明は、対向する位置に光入射面と光出射面を有する柱状のＬＥＤ光源用レンズであって、前記ＬＥＤ光源用レンズは、長手方向の所定の位置から前記光出射面側を径が一定の円柱形状からなる円柱部とし、前記光入射面側を該光入射面に向かって径が徐々に細くなる円柱を長手方向に沿う中心軸に沿って該中心軸を含まない平面で切断除去した部分円柱形状からなる部分円柱部であることを特徴とするものである。
【００１２】
また、本発明の請求項２に記載された発明は、請求項１において、前記ＬＥＤ光源用レンズは、前記光出射面が平坦面からなり、前記光入射面が該光入射面近傍に中心位置を有する凹球面状を呈し、ＬＥＤ光源が前記中心位置あるいはその近傍にその発光部を位置させて配置されることを特徴とするものである。
【００１３】
また、本発明の請求項３に記載された発明は、請求項２において、前記光出射面は、前記平坦面の一部に球面あるいは非球面形状の凹部を有することを特徴とするものである。
【００１４】
また、本発明の請求項４に記載された発明は、請求項１〜請求項３のいずれかに記載のＬＥＤ光源用レンズを用い、複数の前記ＬＥＤ光源用レンズが連成部を介して適宜の間隔で且つ適宜の方向に向けて且つ適宜の回転位置で一体に形成され、前記連成部の一方の側に前記円柱部が位置し他方の側に前記部分円柱部が位置していることを特徴とするものである。
【発明の効果】
【００１５】
本発明のＬＥＤ光源用レンズは、対向する位置に光入射面と光出射面を有する柱状とし、長手方向の所定の位置から光出射面側を径が一定の円柱形状からなる円柱部とすると共に光入射面側を該光入射面に向かって径が徐々に細くなる円柱を長手方向に沿う中心軸に沿って該中心軸を含まない平面で切断除去した部分円柱形状からなる部分円柱部とした。
【００１６】
また、上記構成の複数のＬＥＤ光源用レンズを連成部を介して適宜の間隔で且つ適宜の方向に向けて且つ適宜の回転位置で一体化することによりレンズアレイを形成した。
【００１７】
そのため、ＬＥＤ光源からの出射光がＬＥＤ光源用レンズ内を導光されて該ＬＥＤ光源用レンズから外部に照射されるときの照射光は、ＬＥＤ光源用レンズの長手方向に沿う中心軸上からずれた方向に位置する。
【００１８】
その結果、光学ユニットに組み込んで光学系を構成する場合に、配置・支持スペースや意匠デザイン上の制約によりＬＥＤ光源用レンズからの照射光の主照射方向をＬＥＤ光源用レンズの長手方向に沿う中心軸の延長方向からずれた方向とする必要がある場合に、それらの制約を回避するのに極めて有効な光学素子機能を発揮するものである。
【００１９】
また、ＬＥＤ光源用レンズは、柱状の一部を除去した形状を呈しており、光学特性の実現と共に軽量化の実現も可能にするものである。その結果、複数のＬＥＤ光源用レンズで構成されるレンズアレイも軽量化が実現し、レンズアレイを組み込んだ灯具の軽量化及び取付構造の簡素化も可能となる。
【図面の簡単な説明】
【００２０】
【図１】実施形態の側面図である。
【図２】実施形態の上面図である。
【図３】実施形態の底面図である。
【図４】図２のＡ−Ａ断面図である。
【図５】光路形成の説明図である。
【図６】同じく、光路形成の説明図である。
【図７】同じく、光路形成の説明図である。
【図８】同じく、光路形成の説明図である。
【図９】配光パターンの説明図である。
【図１０】レンズアレイの説明図である。
【図１１】同じく、レンズアレイの説明図である。
【図１２】レンズアレイの使用説明図である。
【図１３】従来例の説明図である。
【図１４】同じく、従来例の説明図である。
【図１５】同じく、従来例の説明図である。
【発明を実施するための形態】
【００２１】
以下、この発明の好適な実施形態を図１〜図１２を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２２】
図１は実施形態のＬＥＤ光源用レンズの側面図、図２は上面図、図３は底面図、図４は図２のＡ−Ａ断面図である。
【００２３】
ＬＥＤ光源用レンズ（以下、「レンズ」と略称する）１は、柱状を呈しており、一方の端部を光入射面２とし、光入射面２に対向する他方の端部を光出射面３とすると共に、長手方向の所定の位置から光出射面３側を径が一定の円柱形状からなる円柱部７とし、光入射面２側を該光入射面２側に向かって径が徐々に細くなる円柱を長手方向に沿う中心軸（Ｘ）に沿って該中心軸（Ｘ）を含まない面で切断して中心軸を含まない部分を除去した形状の部分円柱形状からなる部分円柱部８としている。
【００２４】
つまり、レンズ１の中心軸（Ｘ）に垂直な断面形状は、長手方向の前記所定の位置から光出射面３側（円柱部７）が円形状を呈しており、光入射面２側（部分円柱部８）が半円よりも大きな円弧形状を呈している。
【００２５】
光入射面２は、中心軸（Ｘ）上に中心Ｘｐを有する凹球面形状を呈しており、凹球面形状の中心Ｘｐの位置あるいはその近傍にＬＥＤ光源の発光部を位置させることにより、ＬＥＤ光源から光入射面２に向けて出射された光が、光入射面２を直進してレンズ１内に入射される。
【００２６】
光出射面３は、平坦面からなる第１光出射面４と、該第１光出射面４の中央部に位置しレンズ１の中心軸（Ｘ）を中心軸とする球面あるいは非球面形状の凹部５の凹面からなる第２光出射面６からなり、特に凹部５の凹面からなる第２光出射面６は、ＬＥＤ光源から出射してレンズ１内を導光された光がレンズ１外に出射されるときに出射光を散乱させる働きを有している。
【００２７】
次に、レンズ１の光入射面２の中心位置あるいはその近傍に発光部を位置させたＬＥＤ光源からの出射光が、レンズ１内を導光されてレンズ１外に出射されるまでの光路形成について図５〜図８を参照して説明する。
【００２８】
まず、前述したように、ＬＥＤ光源１０からの出射光は光入射面２を直進してレンズ１内に入射する。レンズ１内に入射した光は、図５のように、直接光出射面３に向かう光（Ｌ１、Ｌ２）と、円柱部７の断面円形状の曲面状外周面及び部分円柱部８の断面円弧状の曲面状外周面からなる第１光反射面１１に向かう光（Ｌ３、Ｌ４）と、断面直線状の平坦面状外周面からなる第２光反射面１２に向かう光（Ｌ５〜Ｌ８）とに分かれる。
【００２９】
そのうち、ＬＥＤ光源１０から出射してレンズ１内を直接光出射面３に向けて導光された光（Ｌ１、Ｌ２）は、図６に示すように、光出射面３を構成する平坦面からなる第１光出射面４あるいは凹面からなる第２光出射面６に至る。
【００３０】
そのうち、第１光出射面４に至った光（Ｌ１）は、第１光出射面４で屈折されて屈折光が該第１光出射面４からレンズ１外に出射される。このとき、第１光出射面４からの出射光（Ｌ１）は、光出射面３の前方にレンズ１の中心軸（Ｘ）を中心とする、一部第２光反射面１２側を除く略放射状に照射され、その照射光は中心軸（Ｘ）を中心とする、第２光反射面１２側を除く円弧側領域に同心円状にほぼ均一な配光パターンを形成する。
【００３１】
また、第２光出射面６に至った光（Ｌ２）は、第２光出射面６で屈折されて屈折光が該第２光出射面６からレンズ１外に出射される。このとき、第２光出射面６からの出射光Ｌ２は、光出射面３の前方にレンズ１の中心軸（Ｘ）を中心とする放射状に屈折（散乱）照射され、その散乱照射光は中心軸（Ｘ）を中心とする同心円状にほぼ均一な配光パターンを形成する。
【００３２】
一方、ＬＥＤ光源１０から出射してレンズ１内を、円柱部７の断面円形状の曲面状外周面及び部分円柱部８の断面円弧状の曲面状外周面からなる第１光反射面１１に向けて導光された光（Ｌ３、Ｌ４）は、図７に示すように、第１光反射面１１に至り該第１光反射面１１で反射（全反射）される。
【００３３】
第１光反射面１１による反射（全反射）光は、更にその一部（Ｌ３）が光出射面３の第１光出射面４に向けて導光され、他の一部（Ｌ４）が光出射面３の第２光出射面６に向けて導光される。
【００３４】
そのうち、第１光出射面４に至った光（Ｌ３）は、該第１光出射面４からレンズ1外に出射される。このとき第１光出射面４からの出射光（Ｌ３）は、光出射面３の前方に、レンズ１の中心軸（Ｘ）に対して出射光（Ｌ３）が反射された位置（第１光反射面１１）と反対方向に屈折されて照射される。したがって、その屈折照射光（Ｌ３）は中心軸（Ｘ）を対称中心とする第２光反射面１２の点対称領域を除く領域に配光パターンを形成することになる。換言すると、中心軸（Ｘ）に対してほぼ第２光反射面１２側の方向に配光パターンを形成する。
【００３５】
また、第２光出射面６に至った光（Ｌ４）は、該第２光出射面６からレンズ1外に出射される。このとき第２光出射面６からの出射光（Ｌ４）は、その殆どが光出射面３の前方に、レンズ１の中心軸（Ｘ）に対して出射光（Ｌ４）が反射（全反射）された位置（第１光反射面１１）と反対方向に屈折されて照射される。したがって、その屈折照射光（Ｌ４）はそのほとんどが上記（Ｌ３）と同様に、中心軸（Ｘ）を対称中心とする第２光反射面１２の点対称領域を除く領域に配光パターンを形成することになる。換言すると、中心軸（Ｘ）に対してほぼ第２光反射面１２側の方向に配光パターンを形成する。
【００３６】
このように、ＬＥＤ光源１０からレンズ１内に入射して第１光反射面１１で反射（全反射）された光（Ｌ３、Ｌ４）がレンズ１外に出射したときの照射光は、レンズ１の中心軸（Ｘ）に対して、中心軸（Ｘ）を対称中心とする第２光反射面１２の点対称領域を除く領域となる第２光反射面１２側の方向に広範囲の照射領域（配光パターン）を形成する。
【００３７】
更に、ＬＥＤ光源１０から出射してレンズ１内を、部分円柱部８の平坦面状外周面からなる第２光反射面１２に向けて導光された光（Ｌ５〜Ｌ８）は、図８に示すように、第２光反射面１２に至り該第２光反射面１２で反射（全反射）される。
【００３８】
第２光反射面１２による反射（全反射）光は、更にその一部（Ｌ５、Ｌ６）が光出射面３に向けて導光され、他の一部（Ｌ７、Ｌ８）が第１光反射面１１に向かって導光されて該第１光反射面１１で反射（反射）され、その反射（全反射）光（Ｌ７、Ｌ８）が光出射面３に向けて導光される。
【００３９】
そのうち、第２光反射面１２で反射されて直接光出射面３に向かう反射光（Ｌ５、Ｌ６）は、その一部が光出射面３の第１光出射面４に至り、他の一部が第２光出射面６に至る。
【００４０】
光出射面３の第１光出射面４に至った光（Ｌ５）は、該第１光出射面４からレンズ1外に出射される。このとき第１光出射４からの出射光（Ｌ５）は、光出射面３の前方にレンズ１の中心軸（Ｘ）に対して出射光（Ｌ５）が反射された位置（第２光反射面１２）と反対方向に屈折されて照射される。したがって、その屈折照射光は中心軸（Ｘ）に対して第１光反射面１１側の方向に配光パターンを形成する。
【００４１】
また、光出射面３の第２光出射面６に至った光（Ｌ６）は、該第２光出射面６からレンズ1外に出射される。このとき第２光出射面６からの出射光（Ｌ６）は、光出射面３の前方にレンズ１の中心軸（Ｘ）を中心とする放射状に屈折（散乱）照射され、その散乱照射光は中心軸（Ｘ）を中心とする同心円状にほぼ均一な配光パターンを形成する。
【００４２】
一方、第２光反射面１２で反射されて更に第１光反射面１１で反射された反射光（Ｌ７、Ｌ８）は、その一部が光出射面３の第１光出射面４に至り、他の一部が第２光出射面６に至る。
【００４３】
光出射面３の第１光出射面４に至った光（Ｌ７）は該第１光出射面４からレンズ１外に出射され、第２光出射面６に至った光（Ｌ８）は該第２光出射面６からレンズ１外に出射される。このとき第１光出射面４からの出射光（Ｌ７）及び第２光出射面６からの出射光（Ｌ８）はいずれも光出射面３の前方にレンズ１の中心軸（Ｘ）に対して出射光（Ｌ７、Ｌ８）が反射された第１光反射面１１の位置と反対方向に屈折されて照射される。したがって、その屈折照射光（Ｌ７、Ｌ８）はレンズ１の中心軸（Ｘ）に対してほぼ第２光反射面１２側の方向に配光パターンを形成する。
【００４４】
特に、第１光出射面４からレンズ１外に出射される光（Ｌ７）は、第２光反射面１２側に大きく屈折される。その結果、ＬＥＤ光源１０からレンズ１内に入射して順次第２光反射面１２及び第１光反射面１１で反射された反射光（Ｌ７、Ｌ８）がレンズ１外に出射したときの照射光は、レンズ１の中心軸（Ｘ）に対して第２光反射面１２側の方向に極めて広範囲の照射領域（配光パターン）を形成する。
【００４５】
そこで、ＬＥＤ光源１０から光入射面２を介してレンズ１内に入射した光が、レンズ１内を上述の複数の光路を導光されて光出射面３を介してレンズ１外に出射されると、その出射光は図９（レンズ１からの出射光をスクリーン（２５）に投影した図）に示すような、配光パターンを形成する。
【００４６】
図９（配光パターンの説明図）より、レンズ１からの出射光が形成する配光パターンは、第１光反射面１１側の照射領域（Ａ）に対して第２光反射面１２側の照射領域（Ｂ）の方が極めて広範囲の照射領域を形成することがわかる。つまり、レンズ１からの照射光はその照射範囲の中心が、レンズ１の長手方向に沿う中心軸（Ｘ）上からずれた方向の位置にある。
【００４７】
したがって、上記構成のレンズ１は、光学ユニットに組み込んで光学系を構成する場合に、配置・支持スペースや意匠デザイン上の制約によりレンズ１からの照射光の主照射方向をレンズ１の長手方向に沿う中心軸（Ｘ）の延長方向からずれた方向とする必要がある場合に、それらの制約を回避するのに極めて有効な光学素子機能を発揮するものである。
【００４８】
また、レンズ１は、柱状の一部を除去した形状を呈しており、上記光学特性の実現と共に軽量化の実現も可能にするものである。
【００４９】
なお、上記説明は、レンズ単体についてその構成や光学特性を説明したものであるが、使用に際しては必ずしも単体で用いられるとは限らず、用途や仕様によっては複数のレンズを一体化したレンズアレイとして用いられることもある。その場合、個々のレンズ部は、連成部を介して適宜の間隔で且つ適宜の方向に向けて且つ適宜の回転位置で配設される。
【００５０】
図１０（レンズアレイの説明図）及び図１１（レンズアレイの説明図）は、複数のレンズ部２１を有するレンズアレイ２０の一例を示したものであり、そのうち図１０は全てのレンズ部２１を連成部２２に対して垂直方向に向けて平行に並設したものであり、図１１は複数のレンズ部２１ａを連成部２２に対して垂直方向に向けて平行に並設した領域（ｃ）と、複数のレンズ部２１ｂを連成部２２に対して傾斜方向に向けて平行に並設した領域（ｄ）とで構成したものである。
【００５１】
そのうち、特に図１１に示す構成のレンズアレイ２０は、図１２（レンズアレイの使用説明図）に示すように、車両３０の前部側面に装備することにより、レンズアレイ２０の領域（ｃ）からは、側方から斜め前方の範囲を照射範囲（Ｃ）とする照射光が出射され、領域（ｄ）からは、斜め前方から前方の範囲を照射範囲（Ｄ）とする照射光が出射される。
【００５２】
そのため、領域（ｃ）からの照射光はサイドマーカーランプ用の配光パターンを形成し、領域（ｄ）からの照射光はコーナーランプ用の配光パターンを形成すると共に車両の斜め前方近傍を照射して右折や左折等の進路変更時に障害物を照らし、車両走行時に運転者の障害物に対する視認性を向上させるものとなる。
【００５３】
その結果、サイドマーカーランプとコーナーランプの２つの機能を有する車両用灯具を、車両の前面から側方に回り込む複雑な形状とすることなく、車両の側方に装備できる簡素な形状とすることで所望の機能を果たすことが可能となる。その結果、車体側の設計自由度が高くなると共に車両用灯具の製造コストの低減化を図ることが可能となり、車両用灯具を含めた車両全体の低コスト化を実現することが可能となる。
【００５４】
また、レンズアレイ２０を構成する複数のレンズ部２１は上述のように軽量化が図られている。したがって、レンズアレイ２０も軽量化が実現し、軽量化による取付構造の簡素化によって車体側及び車両用灯具の製造コストも低減される。当然、車両用灯具の軽量化は車両の軽量化にも繋がる。
【００５５】
レンズ１は光出射面３に凹面からなる第２光出射面２が設けられているが必ずしも第２光出射面６は必要としない。光出射面３を第２光出射面６のない平坦面とするとレンズ１の中心軸（Ｘ）方向の照射光量が多少減少するが、本発明の光学機能的には何等支障はない。
【００５６】
また、光入射面２は凹球面形状としたが、必ずしもこの形状に限られるものではなく、レンズ１からの出射光が形成する配光パターンが所望する形状及び光度分布となるように適宜形状が設定される。
【符号の説明】
【００５７】
１…  ＬＥＤ光源用レンズ
２…  光入射面
３…  光出射面
４…  第１光出射面
５…  凹部
６…  第２光出射面
７…  円柱部
８…  部分円柱部
１０…  ＬＥＤ光源
１１…  第１光反射面
１２…  第２光反射面
２０…  レンズアレイ
２１…  レンズ部
２１ａ…  レンズ部
２２ｂ…  レンズ部
２２…  連成部
２５…  スクリーン
３０…車両
【図１】
2013131386.tif 000003
【図２】
2013131386.tif 000004
【図３】
2013131386.tif 000005
【図４】
2013131386.tif 000006
【図５】
2013131386.tif 000007
【図６】
2013131386.tif 000008
【図７】
2013131386.tif 000009
【図８】
2013131386.tif 000010
【図９】
2013131386.tif 000011
【図１０】
2013131386.tif 000012
【図１１】
2013131386.tif 000013
【図１２】
2013131386.tif 000014
【図１３】
2013131386.tif 000015
【図１４】
2013131386.tif 000016
【図１５】
2013131386.tif 000017